(57)【特許請求の範囲】
【請求項１】
操作面に対するタッチ操作がなされた複数の位置を検出する位置検出手段と、
該操作面に対する押圧操作を検知する押圧操作検知手段と、
前記位置検出手段が検出した前記複数の位置間の距離を算出する距離算出部と、
表示制御部と、
前記表示制御部の制御に従い画像を表示する表示部と、
前記画像の表示サイズの情報を記憶する記憶部と、
を備え、
前記表示制御部は、前記距離算出部が算出した距離が変化し、かつ前記押圧操作検知手段が押圧操作を検知した場合、前記距離に比例する倍率で前記画像の表示サイズを変更させる第１処理を行い、前記距離算出部が算出した距離が変化し、かつ前記押圧操作検知手段が押圧操作を検知しない場合、前記記憶部から読み出した表示サイズの情報に対応して前記画像の表示サイズを変更させる第２処理を行う、
表示装置。
【請求項２】
前記記憶部は、前記画像の表示サイズの情報を複数記憶し、
前記表示制御部は、前記距離算出部が検出した距離の変化量に応じた表示サイズの情報を読み出す、
請求項１に記載の表示装置。
【請求項３】
前記画像の表示サイズの情報は、前記表示部の表示領域に対応する画素数が含まれる、
請求項１または２に記載の表示装置。
【請求項４】
前記押圧操作検知手段は、キラル高分子によって形成された圧電フィルムを備える、
請求項１乃至３のいずれかに記載の表示装置。
【請求項５】
前記キラル高分子は、一軸方向に延伸されたポリ乳酸である、
請求項４に記載の表示装置。
【発明の詳細な説明】
【技術分野】
【０００１】
本発明は、ユーザの指の接触を検知するセンサと枠体とからなるタッチパネルと、該タッチパネルで受け付けたユーザのタッチ操作に応じて表示部の表示内容を制御する制御回路とを備える表示装置に関するものである。
【背景技術】
【０００２】
従来、ユーザの指の接触を検知するタッチパネルと、該タッチパネルで受け付けたユーザのタッチ操作に応じて液晶ディスプレイ等の表示部の表示内容を制御する制御回路と、を備える携帯端末が知られている。【０００３】
例えば、特許文献１に示すモバイルエレクトロニックデバイス（携帯端末）は、タッチパネルと表示部とが一体となったタッチスクリーンと、タッチスクリーンの表示内容を制御するモジュール（制御回路）と、を備えている。【０００４】
特許文献１に示す携帯端末は、ダブルタップ操作、ピンチアウト操作、及びピンチイン操作をタッチパネルで受け付けることにより、制御回路が表示部で表示されているコンテンツ（画像）を拡大又は縮小する。ただし、ダブルタップ操作とは、短時間のタッチ操作を２回続けて行う操作である。ピンチアウト操作とは、２つのタッチ位置間を広げる操作である。ピンチイン操作とは、２つのタッチ位置間を狭める操作である。【０００５】
携帯端末は、ピンチアウト操作又はピンチイン操作では、タッチ位置間の距離に応じた倍率で画像を拡大又は縮小して表示する。また、携帯端末は、ダブルタップ操作を受け付けると、画像を所定の大きさに拡大表示又は縮小表示のどちらかを実行する。
【先行技術文献】
【特許文献】
【０００６】
【特許文献１】特開２０１１−１５９２９１号公報
【発明の概要】
【発明が解決しようとする課題】
【０００７】
しかしながら、ピンチアウト操作及びピンチイン操作では、２つのタッチ位置間の距離に応じて画像の大きさが細かく調整されてしまう。したがって、ピンチアウト操作及びピンチイン操作では、画像の表示サイズを所望の大きさに切り替えることは難しい。【０００８】
また、一般的にダブルタップ操作は、シングルタップ操作として誤認識されてしまうことがある。さらに、携帯端末は、ダブルタップ操作によってユーザが画像の拡大表示か縮小表示のどちらを指示しているのか区別することができない。【０００９】
そこで、本発明の目的は、表示部で表示された画像の表示サイズを所望の大きさに切り替えることができる表示装置を提供することにある。
【課題を解決するための手段】
【００１０】
本発明の表示装置は、操作面に対するタッチ操作がなされた複数の位置を検出する位置検出手段と、該操作面に対する押圧操作を検知する押圧操作検知手段と、前記位置検出手段が検出した前記複数の位置間の距離を算出する距離算出部と、表示制御部と、前記表示制御部の制御に従い画像を表示する表示部と、前記画像の表示サイズの情報を記憶する記憶部と、を備える。【００１１】
そして、前記表示制御部は、前記距離算出部が算出した距離が変化し、かつ前記押圧操作検知手段が押圧操作を検知した場合、前記記憶部から読み出した表示サイズの情報に対応して前記画像の表示サイズを変更させる。【００１２】
位置検出手段は、ユーザが操作受付部に触ろうとする操作をタッチ操作として検知する。すなわち、位置検出手段は、操作受付部に対する実接触に限らず、非接触のタッチ操作も検知する。非接触のタッチ操作は、例えば静電容量方式のタッチパネル又は光センサを操作受付部に備え付けることにより検知される。【００１３】
表示サイズの情報は、例えば表示部の表示領域に対応する画素数が含まれる。表示サイズの情報は、表示部の表示領域に対応する画素数に限らず、現在の画像のサイズを基準とした倍率であってもよい。【００１４】
本発明の表示装置は、押圧操作がされ、かつ、タッチ位置間の距離に変化がある場合、すなわち、押圧操作とピンチアウト操作又はピンチイン操作がされた場合、記憶部から読み出した表示サイズに切り替えて画像を表示する。したがって、ユーザは、押圧操作とピンチアウト操作又はピンチイン操作で、所望の大きさの表示サイズで画像を表示させることができる。【００１５】
なお、表示装置は、押圧操作とピンチアウト操作又はピンチイン操作が行われると、第１処理としてタッチ位置間の距離に応じて画像の大きさを細かく調整し、押圧操作なしにピンチアウト操作又はピンチイン操作が行われると、第２処理として所望の大きさの表示サイズで画像を表示する態様であっても構わない。【００１６】
また、前記記憶部は、前記画像の表示サイズの情報を複数記憶し、前記表示制御部は、前記距離算出部が検出した距離の変化量に応じた表示サイズの情報を読み出してもよい。【００１７】
これにより、例えば、画像は、ユーザがタッチ位置間を広げるに従って、２倍の大きさ、３倍の大きさ、４倍の大きさと段階的に拡大表示される。【００１８】
また、前記押圧操作検知手段は、前記押圧操作の押圧量を検知し、前記記憶部は、前記画像の表示サイズの情報を複数記憶し、前記表示制御部は、前記押圧操作検知手段が検知した押圧量に応じた表示サイズの情報を前記記憶部から読み出してもよい。【００１９】
これにより、例えば、画像は、ユーザにから与えられる押圧量に従って、２倍の大きさ、３倍の大きさ、４倍の大きさと段階的に拡大表示される。【００２０】
また、前記押圧操作検知手段は、キラル高分子によって形成された圧電フィルムを備えてもよい。【００２１】
キラル高分子は、主鎖が螺旋構造を有する。キラル高分子は、圧電フィルムが押圧されると電荷を発生する。キラル高分子の圧電特性は、分子の構造に起因するため、ＰＶＤＦ（ポリフッ化ビニリデン）等の強誘電体のポリマーに比べて、ポーリングを不要とする。【００２２】
前記キラル高分子は、ポリ乳酸であってもよいし、前記ポリ乳酸は、一軸方向に延伸されていてもよい。【００２３】
ポリ乳酸（ＰＬＡ）は、キラル高分子の中でも圧電出力定数が高い。特に一軸方向に延伸されたＬ型ポリ乳酸（ＰＬＬＡ）は、ポリ乳酸の中でも圧電出力定数が高い。圧電出力定数が高い材料を用いることにより、押圧操作検知手段は、感度よく押圧操作を受け付けることができる。また、ポリ乳酸は、ＰＶＤＦ等のように、焦電性が極小さい。したがって、ポリ乳酸によって形成された圧電フィルムは、指の温度が伝わってしまう押圧操作検知手段の構成として好適である。
【発明の効果】
【００２４】
この発明によれば、表示装置は、ユーザがピンチアウト操作又はピンチイン操作だけで細かな調整をしなくても、ユーザの所望の大きさの表示サイズに切り替えて画像を表示することができる。
【図面の簡単な説明】
【００２５】
【図１】本発明の実施形態に係る携帯端末１の外観斜視図である。
【図２】（Ａ）は、本発明の実施形態に係る携帯端末１のＡ−Ａ断面図であり、（Ｂ）は、静電センサ１２の平面図である。
【図３】本発明の実施形態に係る携帯端末１の構成の一部を示すブロック図である。
【図４】（Ａ）は、表示入力部１０の表示例を示す図であり、（Ｂ）は、２箇所のタッチ位置を検出する例を示す図である。
【図５】携帯端末１に対する拡大化操作を示す図である。
【図６】（Ａ）は、データベース１４０に記憶される内容を示す図であり、（Ｂ）は、携帯端末１に対する拡大化操作後の表示例を示す図である。
【図７】（Ａ）及び（Ｂ）は、それぞれ携帯端末１に対する拡大化操作後又は縮小化操作後の表示例を示す図である。
【図８】制御部１４の動作を示すフローチャートである。
【図９】制御部１４の動作を示すフローチャートである。
【図１０】ステップＳ６の変形例に係る処理を示すフローチャートである。
【図１１】（Ａ）及び（Ｂ）は、それぞれステップＳ６の処理の変形例を説明するための図である。
【発明を実施するための形態】
【００２６】
本発明の実施形態に係る携帯端末１について、図１乃至図３を用いて説明する。図１は、携帯端末１の外観斜視図である。図２（Ａ）は、携帯端末１のＡ−Ａ断面図である。図２（Ｂ）は、静電センサ１２の平面図である。図３は、携帯端末１の構成の一部を示すブロック図である。
【００２７】
携帯端末１は、図１に示すように、略直方体形状の筐体３０を備える。筐体３０の表面は開口している。なお、以下では、図１に示すＸ方向を筐体３０の幅方向とし、Ｙ方向を高さ方向とし、Ｚ方向を厚み方向として説明する。また、本実施形態では、筐体３０の幅が、筐体３０の高さよりも短い場合を示している。しかしながら、筐体３０は、幅と高さが同じ長さであっても、幅が高さより長くてもよい。
【００２８】
表示入力部１０は、筐体３０の開口部分を介して外部に露出している。これにより、表示入力部１０のＺ側の面は操作面となる。
【００２９】
筐体３０は、図２（Ａ）に示すように、内部に表示入力部１０及び演算回路モジュール４０を配置する。演算回路モジュール４０と表示入力部１０とは、厚み方向に順に配置される。
【００３０】
表示入力部１０は、図２（Ａ）に示すように、表示部１１、静電センサ１２、圧電センサ２０及び絶縁フィルム１２４を備える。表示部１１、静電センサ１２、及び圧電センサ２０は、筐体３０の表面側から視て、それぞれ略同じ形状である。
【００３１】
表示部１１は、図２（Ａ）に示すように、液晶パネル１１１、表面偏光板１１２、背面偏光板１１３、及びバックライト１１４を備える。
【００３２】
バックライト１１４、背面偏光板１１３、液晶パネル１１１、圧電センサ２０、絶縁フィルム１２４、静電センサ１２、及び表面偏光板１１２は、厚み方向に順に配置される。ただし、圧電センサ２０と静電センサ１２とは逆の配置であっても構わない。
【００３３】
静電センサ１２は、図２（Ａ）及び図２（Ｂ）に示すように、ベースフィルム１２１、複数の静電容量検出電極１２２、及び複数の静電容量検出電極１２３を備える。
【００３４】
ベースフィルム１２１は、透光性及び所定の誘電率を有する材質からなる。複数の静電容量検出電極１２２、及び複数の静電容量検出電極１２３は、それぞれ長尺状であり、透光性を有する導電性材料からなる。複数の静電容量検出電極１２２は、ベースフィルム１２１の第１主面（＋Ｚ側の面）に、所定の間隔で配列形成されている。複数の静電容量検出電極１２３は、ベースフィルム１２１の第２主面（−Ｚ側の面）に、所定の間隔で配列形成されている。複数の静電容量検出電極１２２の配列方向と、複数の静電容量検出電極１２３の配列方向とは、ベースフィルム１２１の第１主面又は第２主面の法線方向から視ると、略直交するように設定される。
【００３５】
静電センサ１２に指が近づくと、静電容量は変化する。そこで、位置検出部１３は、静電容量が変化した静電容量検出電極１２２と静電容量検出電極１２３との組を特定することにより、タッチ位置を検出する。また、位置検出部１３は、静電容量が変化した静電容量検出電極１２２と静電容量検出電極１２３との組を複数特定することにより、タッチ位置を複数検出する。ただし、静電容量の変化は、指が表面偏光板１１２に実際に接触していなくても、検出可能である。また、タッチ位置の検出は、静電センサ１２の代わりに、指の表面偏光板１１２への接近を検知する光センサを用いても可能である。
【００３６】
位置検出部１３は、タッチ位置を検出すると、該タッチ位置の情報を制御部１４に出力する。
【００３７】
圧電センサ２０は、図２（Ａ）に示すように、圧電フィルム２０１、圧電検出電極２０２、及び圧電検出電極２０３を備える。
【００３８】
圧電フィルム２０１、圧電検出電極２０２、及び圧電検出電極２０３は、それぞれ平膜形状である。
【００３９】
圧電検出電極２０２は、圧電フィルム２０１の第１主面（＋Ｚ側の面）に、形成されている。圧電検出電極２０３は、圧電フィルム２０１の第２主面（−Ｚ側の面）に、形成されている。圧電検出電極２０２及び圧電検出電極２０３は、それぞれＩＴＯ、ＺｎＯ、ポリチオフェンを主成分とする有機電極、ポリアニリンを主成分とする有機電極、銀ナノワイヤ電極、カーボンナノチューブ電極のいずれかで形成されているため、透光性を有する。
【００４０】
圧電フィルム２０１は、例えば一軸延伸されたポリ乳酸からなり、透光性を有する。また、圧電フィルム２０１は、−Ｚ方向に押圧されると、第１主面及び第２主面に電荷を発生させる。圧電検出電極２０２と圧電検出電極２０３との間の電位差は、圧電フィルム２０１の第１主面及び第２主面に電荷が発生することにより、生じる。また、この電位差のレベル（例えばｍＶ）は、圧電フィルム２０１の押圧量（又は押込量。例えば数十μｍ）に対応する。したがって、圧電検出電極２０２と圧電検出電極２０３との間の電位差のレベル（ｍＶ）を求めることにより、圧電センサ２０に対する押圧操作の有無及び押圧量（μｍ）を求めることが可能となる。
【００４１】
圧電センサ２０は、圧電検出電極２０２と圧電検出電極２０３との間の電位差をセンサ信号として出力する。圧電センサ２０から出力されたセンサ信号は、図３に示すように、圧電センサ結果検出部２１に入力される。圧電センサ結果検出部２１は、入力されたセンサ信号のレベルＬＳＳ（ｍＶ）を求める。圧電センサ結果検出部２１は、求めたレベルＬＳＳに応じて圧電センサ２０に対する押圧操作の有無を判断する。例えば、圧電センサ結果検出部２１は、レベルＬＳＳが２０ｍＶ未満であれば、表示入力部１０の圧電センサ２０に対して押圧操作がされていないと判断する。圧電センサ結果検出部２１は、レベルＬＳＳが２０ｍＶ以上であれば、表示入力部１０の圧電センサ２０に対して押圧操作がされていると判断する。圧電センサ結果検出部２１が閾値により押圧操作の有無を判断するため、表示入力部１０に対するタッチ操作と押圧操作とを区別しやすくなる。圧電センサ結果検出部２１は、押圧操作の有無の情報を制御部１４に出力する。また、圧電センサ結果検出部２１は、レベルＬＳＳ（押圧量に対応する。）の情報も制御部１４に出力する。
【００４２】
表示部１１の説明に戻り、バックライト１１４から出力された光は、背面偏光板１１３、液晶パネル１１１、圧電センサ２０、絶縁フィルム１２４、静電センサ１２、及び表面偏光板１１２を順に通過する。液晶パネル１１１は、表示制御部１５の制御により、届いた光をそのまま、又は、振動方向を変えて（偏光させて）透過させる。このように、表示部１１の表示内容は、バックライト１１４及び液晶パネル１１１を制御することにより、変更される。
【００４３】
圧電センサ２０は、透光性を有するため、バックライト１１４より＋Ｚ側に配置されても、バックライト１１４からの光の透過を阻害しない。
【００４４】
以上のように、制御部１４は、表示入力部１０に対するタッチ位置の情報、押圧操作の有無の情報、及びレベルＬＳＳ（押圧量に対応する。）の情報が入力される。制御部１４は、これら入力された情報に基づいて様々な処理を行う。表示に関する処理の情報は、制御部１４から表示制御部１５に出力される。表示制御部１５は、制御部１４が出力した表示に関する処理の情報に応じた表示内容となるように、表示入力部１０（表示部１１）を制御する。すなわち、携帯端末１は、所謂、ＧＵＩ（；Ｇｒａｐｈｉｃａｌ  Ｕｓｅｒ  Ｉｎｔｅｒｆａｃｅ）を実現する。
【００４５】
このような携帯端末１によって、以下のようなＧＵＩが実現可能となる。
【００４６】
図４（Ａ）は、表示入力部１０の表示例を示す図である。図４（Ｂ）は、２か所のタッチ位置を検出する例を示す図である。図５は、携帯端末１に対する拡大化操作を示す図である。図６（Ａ）は、データベース１４０に記憶される内容を示す図である。図６（Ｂ）、図７（Ａ）及び図７（Ｂ）は、それぞれ携帯端末１に対する拡大化操作後又は縮小化操作後の表示例を示す図である。図８及び図９は、制御部１４の動作を示すフローチャートである。
【００４７】
制御部１４は、図８に示すフローチャートのスタート時点で、図４（Ａ）に示す表示を行っているものとする。すなわち、表示入力部１０は、図８に示すフローチャートのスタート時点で、画像９０１を表示している。画像９０１は、静止画に限らず、動画であってもよい。
【００４８】
ここで、画面サイズとは、表示入力部１０の表示領域の幅及び高さのそれぞれの画素数で定義されるサイズとする。画像サイズとは、表示に関わらない画像固有のサイズであり、幅及び高さのそれぞれの画素数で定義されるサイズとする。画像の表示サイズとは、画像が表示されるべき幅及び高さのそれぞれの画素数で定義されるサイズとする。したがって、画像サイズと、画像の表示サイズとは、画像が拡大表示又は縮小表示されると、異なる。
【００４９】
図４（Ａ）に示す例では、表示入力部１０の画面サイズは、幅（Ｘ方向）が１０８０画素であり、高さ（Ｙ方向）が１９２０画素である。画像９０１の画像サイズは、幅（Ｘ方向）が６７５画素であり、高さ（Ｙ方向）が１２００画素である。画像９０１の表示サイズは、図４（Ａ）に示す例では、画像９０１の画像サイズと同じである。
【００５０】
図８に示すフローチャートは、制御部１４が複数のタッチ位置の情報を位置検出部１３から取得することにより始まる（スタート）。以下、図４（Ｂ）に示す例を用いて制御部１４の動作を説明する。
【００５１】
ユーザは、図４（Ｂ）に示すように、右手の親指ＴＢＲＨと右手の人差し指ＦＦＲＨとで表示入力部１０をタッチする。ここで、タッチ位置の一方をタッチ位置ＦＴＰとし、他方のタッチ位置をタッチ位置ＳＴＰとする。
【００５２】
すると、制御部１４は、タッチ位置ＦＴＰの情報として座標（Ｆｘ、Ｆｙ）の情報と、タッチ位置ＳＴＰの情報として座標（Ｓｘ、Ｓｙ）の情報とを、位置検出部１３から取得する。ただし、位置検出部１３は、座標（Ｆｘ、Ｆｙ）及び座標（Ｓｘ、Ｓｙ）の基準位置Ｓ（０、０）を、例えば表示入力部１０の表示領域のうち、−Ｘ方向及び−Ｙ方向の隅の位置としている。また、位置検出部１３は、座標（Ｆｘ、Ｆｙ）及び座標（Ｓｘ、Ｓｙ）のそれぞれの単位を、ミリメートル（ｍｍ）としている。ただし、基準位置Ｓは表示入力部１０の表示領域のどこの位置であってもよく、座標の単位もミリメートル（ｍｍ）に限らず画素数であっても構わない。
【００５３】
まず、制御部１４は、２箇所のタッチ位置間の距離Ｄｉｓを算出する（Ｓ１）。距離Ｄｉｓは、タッチ位置ＦＴＰとタッチ位置ＳＴＰとの距離である。すなわち、以下の式によって、距離Ｄｉｓ（ｍｍ）は求められる。
【００５４】
Ｄｉｓ  ＝  Ｓｑｒｔ（（Ｆｘ−Ｓｘ）２＋（Ｆｙ−Ｓｙ）２）
ただし、Ｓｑｒｔは、平方根を取る関数である。
【００５５】
次に、制御部１４は、表示入力部１０に対する押圧操作があるか否かを判断する（Ｓ２）。より具体的には、制御部１４は、圧電センサ結果検出部２１から押圧操作の有無の情報を取得して、押圧操作があるか否かを判断する。制御部１４は、表示入力部１０に対して押圧操作がされていると判断した場合（Ｓ２：ＹＥＳ）、ステップＳ３に進み、表示サイズ切替処理を開始する。制御部１４は、表示入力部１０に対して押圧操作がされていないと判断した場合（Ｓ２：ＮＯ）、ステップＳ１０に進み、表示サイズ変更処理を開始する。
【００５６】
そして、制御部１４は、表示入力部１０に対して押圧操作がされていると判断した場合（Ｓ２：ＹＥＳ）、再度、位置検出部１３からタッチ位置の情報を取得する（Ｓ３）。
【００５７】
そして、制御部１４は、タッチ位置が変化したか否かを判断する（Ｓ４）。より具体的には、制御部１４は、再度取得したタッチ位置のいずれかのタッチ位置が最初（スタート時点）に取得したタッチ位置から変化したと判断した場合（Ｓ４：ＹＥＳ）、ステップＳ５に進む。制御部１４は、再度取得したタッチ位置のいずれかのタッチ位置が最初に取得したタッチ位置から変化していないと判断した場合（Ｓ４：ＮＯ）、ステップＳ３に戻り、タッチ位置が変化するまでステップＳ３の処理とステップＳ４の処理とを繰り返す。ただし、制御部１４は、再度取得したタッチ位置の数が最初に取得したタッチ位置の数から減ると、ステップＳ３とステップＳ４との繰り返し処理を終えて、別の操作入力の受付処理を行ってもよい。
【００５８】
制御部１４は、タッチ位置が変化したと判断した場合（Ｓ４：ＹＥＳ）、距離Ｄｉｓの変化量Ｄｉｆｆを算出する（Ｓ５）。変化量Ｄｉｆｆは、距離Ｄｉｓと距離Ｄｉｓ’との差分距離（ｍｍ）である。ただし、距離Ｄｉｓ’は、変化したタッチ位置間の距離である。
【００５９】
ここで、ステップＳ２乃至ステップＳ５の処理例について、図５を用いて説明する。
【００６０】
以下、拡大化操作とは、図５に示すように、タッチ位置ＦＴＰ又はタッチ位置ＳＴＰで表示入力部１０を押圧する押圧操作を行い、かつ、右手の親指ＴＢＲＨと右手の人差し指ＦＦＲＨとを離すピンチアウト操作を行う操作とする。タッチ位置ＦＴＰは、ピンチアウト操作後にタッチ位置ＦＴＰ’に変化し、タッチ位置ＳＴＰは、ピンチアウト操作後にタッチ位置ＳＴＰ’と変化する。ただし、タッチ位置ＦＴＰ’は、座標（Ｆｘ’、Ｆｙ’）であり、タッチ位置ＳＴＰ’は、座標（Ｓｘ’、Ｓｙ’）とする。
【００６１】
ユーザが図５に示す拡大化操作を行うと、制御部１４は、押圧操作がされていると判断し（Ｓ２：ＹＥＳ）、次に、タッチ位置ＦＴＰ’及びタッチ位置ＳＴＰ’のそれぞれの情報を位置検出部１３から取得して（Ｓ３）、それぞれのタッチ位置がタッチ位置ＦＴＰ及びタッチ位置ＳＴＰから変化したと判断する（Ｓ４：ＹＥＳ）。
【００６２】
そして、制御部１４は、変化量Ｄｉｆｆを算出する（Ｓ５）ために、再度取得したタッチ位置の情報に基づいて距離Ｄｉｓ’を算出する。距離Ｄｉｓ’の算出方法は、距離Ｄｉｓの算出方法と同じである。
【００６３】
そして、制御部１４は、距離Ｄｉｓ’から距離Ｄｉｓを減算して変化量Ｄｉｆｆを算出する（Ｓ５）。変化量Ｄｉｆｆは、図５に示す拡大化操作では、プラスの値となる。
【００６４】
図５に示す例は、拡大化操作の例であるが、ユーザは、縮小化操作を行ってもよい。縮小化操作とは、タッチ位置ＦＴＰ又はタッチ位置ＳＴＰで表示入力部１０を押圧する押圧操作を行い、かつ、右手の親指ＴＢＲＨと右手の人差し指ＦＦＲＨとを近付けるピンチイン操作を行う操作である。この場合、変化量Ｄｉｆｆは、マイナスの値が算出される。
【００６５】
図８に示すフローチャートの説明に戻り、制御部１４は、変化量Ｄｉｆｆを算出するとステップＳ６に進み、算出した変化量Ｄｉｆｆに応じた表示サイズで画像９０１を表示する。より具体的には、制御部１４は、算出した変化量Ｄｉｆｆでデータベース１４０を参照し、画像９０１の表示サイズを特定する。
【００６６】
データベース１４０は、図６（Ａ）に示すように、変化量Ｄｉｆｆ（ｍｍ）と表示サイズとを対応付けて記憶している。表示サイズは、幅及び高さのそれぞれの画素数で定義されている。幅が１０８０画素で高さが１９２０画素の表示サイズは、表示入力部１０の画面サイズと同じ大きさである。幅が２１６０画素で高さが３８４０画素の表示サイズは、幅及び高さがそれぞれ表示入力部１０の画面サイズの幅及び高さの２倍の大きさである。幅が３２４０画素で高さが５７６０画素の表示サイズは、幅及び高さがそれぞれ表示入力部１０の画面サイズの幅及び高さの３倍の大きさである。幅が５４０画素で高さが９６０画素の表示サイズは、幅及び高さがそれぞれ表示入力部１０の画面サイズの幅及び高さの１／２倍の大きさである。ただし、表示サイズは、表示入力部１０の画面サイズに対応した画素数で定義されるに限らず、画像サイズの幅及び高さを基準とした倍率で定義されてもよい。さらに、表示サイズは、画像９０１の現在の表示サイズの幅及び高さを基準とした倍率で定義されてもよい。
【００６７】
そして、制御部１４は、特定した表示サイズで画像９０１を表示する処理の情報を表示制御部１５に出力する（Ｓ６）。なお、制御部１４は、ステップＳ６の次に、ステップＳ３に戻ってもよい。これにより、ユーザは、ピンチイン操作又はピンチアウト操作を続けて行うことにより、画像９０１の表示サイズを続けて切り替えて表示させることができる。
【００６８】
ステップＳ６の処理例について、図５を用いて説明する。
【００６９】
制御部１４は、変化量Ｄｉｆｆが１５ｍｍと算出すると、データベース１４０を参照して、画像９０１の表示サイズを幅が１０８０画素で高さが１９２０画素であると特定する。すなわち、特定された表示サイズは、表示入力部１０の画面サイズと同じである。
【００７０】
そして、制御部１４は、特定した表示サイズで、画像９０１を表示させる処理の情報を表示制御部１５に出力する。
【００７１】
表示制御部１５は、特定された表示サイズが画像９０１の画像サイズより大きいため、画像９０１を拡大する処理を行う。表示制御部１５は、拡大処理として一般的な処理方法を用いることができるが、例えば以下のように数学的処理を行う。
【００７２】
具体的には、表示制御部１５は、特定された表示サイズが幅１０８０画素であり、かつ画像９０１の画像サイズが幅６７５画素であるため、１．６倍（１０８０画素／６７５画素）で画像９０１の幅及び高さを拡大する。これにより、画像９０１は、拡大されて、幅が１０８０画素で高さが１９２０画素の大きさで表示される。ただし、制御部１４は、表示サイズ及び画像サイズのそれぞれの高さに基づいて、拡大表示の倍率を算出してもよい。また、制御部１４は、表示サイズ及び画像サイズのそれぞれの幅及び高さの両方を用いて、拡大表示の倍率を算出してもよい。
【００７３】
また、表示制御部１５は、画像９０１の拡大処理に加えて、画像９０１を表示入力部１０の表示領域の中央に表示する処理も行う。これにより、画像９０１は、表示サイズの中心位置と表示入力部１０の表示領域の中心位置とが一致するように配置されて表示される。すると、画像９０１は、図６（Ｂ）に示すように、表示入力部１０の全表示領域で、画像９０１を表示する。ただし、本実施形態において、画像９０１の表示サイズの中心位置を表示入力部１０の表示領域の中心位置に配置することは必須ではない。
【００７４】
制御部１４は、上述の例よりも、さらに大きな変化量Ｄｉｆｆ（３０ｍｍ）を算出すると、図７（Ａ）に示すように、表示入力部１０の画面サイズの幅及び高さがそれぞれ２倍の大きさの表示サイズで画像９０１を表示する。ただし、この場合、画像９０１は、表示サイズが画面サイズより大きいため、一部だけが表示される。
【００７５】
以上は、図５に示す拡大化操作の例であるが、携帯端末１は、縮小化操作が行われると、変化量Ｄｉｆｆがマイナスの値（例えば−１０ｍｍ）となるため、図７（Ｂ）に示すように、表示入力部１０の画面サイズの幅及び高さのそれぞれ１／２倍の大きさの表示サイズで画像９０１を表示する。
【００７６】
このように、携帯端末１は、表示サイズ切替処理を実行する。すなわち、携帯端末１は、変化量Ｄｉｆｆと、押圧操作の有無とに応じて、画像９０１の表示サイズを切り替えて表示する。したがって、ユーザは、ピンチアウト操作又はピンチイン操作と同じ操作感覚で、素早く所望の表示サイズで画像９０１を表示させることができる。ただし、変化量Ｄｉｆｆを算出することは、本発明の必須の構成ではない。携帯端末１は、押圧操作を受け付け、かつ変化量Ｄｉｆｆが０ｍｍではないと判断しただけで、所定の大きさ（例えば表示入力部１０の画面サイズと同じ大きさ）の表示サイズで画像９０１を表示してもよい。
【００７７】
また、拡大化操作と縮小化操作とは、右手の親指ＴＢＲＨ及び右手の人差し指ＦＦＲＨの移動方向がそれぞれ逆であることにより、明確に異なる。携帯端末１は、明確に異なる拡大化操作と縮小化操作とに応じて表示サイズ切替処理を実行する。したがって、携帯端末１は、従来のダブルタップ操作のように、異なる処理（拡大表示又は縮小表示）を同一の操作によって実行しないため、ユーザの意図通りの処理を実行できる。
【００７８】
制御部１４は、表示入力部１０に対して押圧操作がされていないと判断した場合（Ｓ２：ＮＯ）、ステップＳ１０に進み、表示サイズ変更処理を開始する。
【００７９】
表示サイズ変更処理は、図９に示すフローチャートに沿って行われる。ただし、ステップＳ１３乃至ステップＳ１５の処理は、それぞれステップＳ３乃至ステップＳ５の処理と同じである。したがって、これらステップの処理の説明は省略する。すなわち、表示サイズ変更処理は、表示サイズ切替処理と、ステップＳ１６において相違する。
【００８０】
ステップＳ１６では、表示制御部１５は、変化量Ｄｉｆｆに比例又は反比例する倍率で画像の表示サイズを変更して表示する。
【００８１】
例えば、表示制御部１５は、算出された変化量Ｄｉｆｆを用いて、以下の式によって倍率ｍを求める。
【００８２】
ｍ  ＝  Ｄｉｆｆ  ×  ｋ１  （Ｄｉｆｆ  ＞  ０）
ｍ  ＝  ｋ２  ／  Ｄｉｆｆ  （Ｄｉｆｆ  ＜  ０）
すなわち、倍率ｍは、変化量Ｄｉｆｆがプラスの場合、所定の係数ｋ１と変化量Ｄｉｆｆとを乗算した値となり、変化量Ｄｉｆｆがマイナスの場合、所定の係数ｋ２を変化量Ｄｉｆｆで割算した値となる。例えば、倍率ｍは、図５に示す拡大化操作の場合、変化量Ｄｉｆｆに比例した値となり、縮小化操作の場合、変化量Ｄｉｆｆに反比例した値となる。
【００８３】
そして、表示制御部１５は、画像９０１の画像サイズの幅及び高さのそれぞれをｍ倍した大きさを画像９０１の表示サイズとする。
【００８４】
このように、携帯端末１は、表示サイズ変更処理を実行し、タッチ位置間の距離の変化量に比例又は反比例した倍率で画像９０１の表示サイズを逐次変更する。
【００８５】
ユーザは、表示入力部１０に対して拡大化操作又は縮小化操作することにより、画像９０１の表示サイズを切り替え、表示入力部１０に対して押圧操作なしにピンチアウト操作又はピンチイン操作だけを行うことにより、該操作でのタッチ位置間の変化量に比例又は反比例した倍率で画像９０１の表示サイズを細かく調整できる。
【００８６】
ただし、携帯端末１は、押圧操作がされていると判断すると（Ｓ２：ＹＥＳ）、表示サイズ変更処理（図９のステップＳ１３以降の処理）を行い、押圧操作がされていないと判断すると（Ｓ２：ＮＯ）、表示サイズ切替処理（図８のステップＳ３以降の処理）を行ってもよい。
【００８７】
また、携帯端末１は、押圧操作がされていることを（Ｓ２：ＹＥＳ）表示サイズ切替処理の開始のトリガとしているが、タッチ位置間の距離の変化を表示サイズ切替処理の開始のトリガとし、タッチ位置間の距離の変化に続けて押圧操作があると、画像の表示サイズに切り替えて画像９０１を表示してもよい。
【００８８】
また、以上の例は、２箇所のタッチ位置ＦＴＰ及びタッチ位置ＳＴＰを検出しているが、３箇所以上のタッチ位置を検出してもよい。制御部１４は、位置検出部１３から３箇所以上のタッチ位置の情報を取得した場合、各タッチ位置間の距離Ｄｉｓを算出する。すなわち、制御部１４は、複数の距離Ｄｉｓを算出する。この場合、制御部１４は、ステップＳ５又はステップＳ１５において、再度、複数の距離Ｄｉｓ’を算出する。そして、制御部１４は、複数の距離Ｄｉｓ’の合計から、複数の距離Ｄｉｓの合計を減算し、１つの変化量Ｄｉｆｆを算出する。そして、制御部１４は、ステップＳ６又はステップＳ１６において、変化量Ｄｉｆｆに応じて表示サイズを特定する。なお、３箇所以上のタッチ位置に対応する変化量Ｄｉｆｆは、２箇所のタッチ位置の変化量Ｄｉｆｆに比べて大きくなることがあるため、タッチ位置の数で平均化されることが望ましい。
【００８９】
以上の例では、制御部１４は、変化量Ｄｉｆｆが０ｍｍ以上２０ｍｍ未満である場合、幅１０８０画素で高さ１９２０画素からなる表示サイズを特定し、変化量Ｄｉｆｆが２０ｍｍ以上４０ｍｍ未満である場合、幅２１６０画素で高さ３８４０画素からなる表示サイズを特定しているが、変化量Ｄｉｆｆに寄らず、レベルＬＳＳ（表示入力部１０に対する押圧量に対応する。）に応じて表示サイズを特定してもよい。この場合、データベース１４０は、レベルＬＳＳの大きさ（ｍＶ）と、表示サイズとを対応付けて記憶する。
【００９０】
例えば、制御部１４は、表示入力部１０に対して押圧操作がされていると判断した場合（Ｓ２：ＹＥＳ）、レベルＬＳＳの情報を圧電センサ結果検出部２１から取得する。そして、制御部１４は、取得したレベルＬＳＳ（ｍＶ）でデータベース１４０を参照し、該レベルＬＳＳに応じた大きさの表示サイズを特定してもよい（Ｓ６）。
【００９１】
ここで、圧電フィルム２０１について説明する。圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。
【００９２】
ＰＬＬＡは、圧電定数が高分子の中で非常に高い部類に属するため、圧電センサ２０に適している。
【００９３】
また、ＰＬＬＡには、他の強誘電性の圧電体（ＰＶＤＦ等）と異なり、焦電性がない。したがって、ＰＬＬＡは、表示入力部１０の圧電センサ２０のように、タッチ操作により指の温度が伝わってしまう構成に適している。
【００９４】
また、ＰＬＬＡは、キラル高分子からなるため、ＰＶＤＦ等より高い透光性を有する。したがって、ＰＬＬＡは、表示入力部１０の圧電センサ２０のように、バックライト１１４より＋Ｚ側に配置される構成に適している。
【００９５】
ただし、本実施形態において圧電フィルム２０１としてＰＬＬＡを用いることは必須ではない。圧電センサ２０は、例えばＰＶＤＦからなる圧電フィルム２０１を用いてもよい。
【００９６】
次に、図１０は、図８に示すフローチャートのステップＳ６の処理の変形例を示すフローチャートである。図１１（Ａ）及び図１１（Ｂ）は、それぞれ図８に示すステップＳ６の処理の変形例を説明するための図である。
【００９７】
本変形例は、図１０に示すように、レベルＬＳＳ（押圧量に対応する。）に応じて、特定された表示サイズの幅に基づいて画像を拡大表示又は縮小表示するのか、特定された表示サイズの幅及び高さの両方を用いて画像を拡大表示又は縮小表示するのかを判断する点において、図８に示すステップＳ６に示す処理と相違する。
【００９８】
ただし、制御部１４は、図８に示すフローチャートのステップＳ２において、予めレベルＬＳＳの情報を圧電センサ結果検出部２１から取得しているものとする。また、変化量Ｄｉｆｆは、ステップＳ５において、１５ｍｍが算出されているものとする。
【００９９】
まず、制御部１４は、図１０に示すように、算出した変化量Ｄｉｆｆ（１５ｍｍ）に応じた表示サイズを特定する（Ｓ６１）。制御部１４は、算出した変化量Ｄｉｆｆでデータベース１４０を参照し、幅が１０８０画素で高さが１９２０画素の大きさの表示サイズを特定する。
【０１００】
次に、制御部１４は、取得したレベルＬＳＳが例えば３０ｍＶ以上であるか否かを判断する（Ｓ６２）。制御部１４は、レベルＬＳＳが例えば３０ｍＶ以上の場合（Ｓ６２：ＹＥＳ）、ステップＳ６３に進む。制御部１４は、レベルＬＳＳが例えば３０ｍＶ未満の場合（Ｓ６２：ＮＯ）、ステップＳ６４に進む。
【０１０１】
制御部１４は、レベルＬＳＳが例えば３０ｍＶ以上の場合（Ｓ６２：ＹＥＳ）、特定した表示サイズの幅に基づいて、画像の拡大処理を行う（Ｓ６３）。
【０１０２】
図１１（Ａ）及び図１１（Ｂ）に示す例を用いてステップＳ６３の処理の説明を行う。
【０１０３】
上述のように、表示入力部１０の画面サイズは、幅が１０８０画素で、高さが１９２０画素である。すなわち、表示入力部１０の画面サイズのアスペクト比は、９：１６である。
【０１０４】
表示入力部１０は、図１１（Ａ）に示す表示例では、画像９０２を表示している。画像９０２の画像サイズは、幅が６００画素で、高さが８００画素である。すなわち、画像９０２の画像サイズのアスペクト比は、３：４であり、表示入力部１０の画面サイズのアスペクト比と相違する。
【０１０５】
表示制御部１５は、図１１（Ａ）に示す例において、１．８倍（１０８０画素／６００画素）で、画像９０２を拡大表示する処理を実行する。この場合、画像９０２の表示サイズは、画像サイズの幅と高さの両方がそれぞれ１．８倍された大きさとなる。すると、表示入力部１０は、図１１（Ｂ）に示すように、画像９０２の画像サイズのアスペクト比を保ったまま、画像９０２を拡大表示する。ただし、表示制御部１５は、特定された表示サイズの高さを用いて拡大表示の倍率を求めてもよい。
【０１０６】
表示制御部１５は、取得したレベルＬＳＳが例えば３０ｍＶ未満の場合（Ｓ６２：ＮＯ）、特定した表示サイズの幅及び高さの両方を用いて、画像９０２の拡大処理を行う（Ｓ６４）。
【０１０７】
表示制御部１５は、図１１（Ａ）に示す例において、幅を１．８倍（１０８０画素／６００画素）とし、高さを２．４倍（１９２０画素／８００画素）として画像９０２を拡大した表示サイズとする。すると、表示入力部１０は、全表示領域で画像９０２を拡大表示する。
【０１０８】
以上のように、本変形例は、レベルＬＳＳに応じて、アスペクト比を保ったまま又は変更して画像を拡大表示する。無論、本変形例は、縮小表示に対しても実施可能である。
【符号の説明】
【０１０９】
１…携帯端末
１０…表示入力部
１１…表示部
１２…静電センサ
１３…位置検出部
１４…制御部
１５…表示制御部
２０…圧電センサ
２１…圧電センサ結果検出部
３０…筐体
４０…演算回路モジュール
１１１…液晶パネル
１１２…表面偏光板
１１３…背面偏光板
１１４…バックライト
１２１…ベースフィルム
１２２、１２３…静電容量検出電極
１２４…絶縁フィルム
１４０…データベース
２０１…圧電フィルム
２０２、２０３…圧電検出電極
９０１、９０２…画像
【図１】
0005975183.tif 000002
【図２】
0005975183.tif 000003
【図３】
0005975183.tif 000004
【図４】
0005975183.tif 000005
【図５】
0005975183.tif 000006
【図６】
0005975183.tif 000007
【図７】
0005975183.tif 000008
【図８】
0005975183.tif 000009
【図９】
0005975183.tif 000010
【図１０】
0005975183.tif 000011
【図１１】
0005975183.tif 000012